(57)【要約】【課題】ユーザにとって有益な情報を適宜提供できるようにすることを目的とする。【解決手段】測位信号を受信して測位を行う無線端末であって、店舗の識別情報とアプリケーションとを関連付ける店舗情報を記憶する第一記憶部と、前記測位信号に含まれる前記識別情報を取得する第一取得部と、前記第一取得部が取得した前記識別情報と関連付けられた前記アプリケーションを起動する制御部と、を有する、無線端末を提供する。【選択図】図６
2015041904.tif 000002
【特許請求の範囲】
【請求項１】
測位信号を受信して測位を行う無線端末であって、
所定の場所を表す識別情報とアプリケーションとを関連付ける情報を記憶する第一記憶部と、
前記測位信号に含まれる前記識別情報を取得する第一取得部と、
前記第一取得部が取得した前記識別情報と関連付けられた前記アプリケーションを起動する制御部と、
を有する、無線端末。
【請求項２】
前記アプリケーションの起動の可否の設定を受け付ける受付部
を有し、
前記制御部は、前記受付部が受け付けた前記設定に応じて、前記アプリケーションを起動する、
請求項１に記載の無線端末。
【請求項３】
アプリケーションの起動履歴を記憶する第二記憶部
を有し、
前記制御部は、前記起動履歴に、所定の時間内の前記アプリケーションの起動履歴が含まれていない場合に、該アプリケーションを起動する、
請求項１又は２に記載の無線端末。
【請求項４】
前記第一取得部が取得した前記識別情報と関連付けられたアプリケーションを取得する第二取得部
を有する、請求項１乃至３の何れか一項に記載の無線端末。
【請求項５】
前記測位信号は、ＩＭＥＳ規格に従って構成される、
請求項１乃至４の何れか一項に記載の無線端末。
【請求項６】
測位信号を受信して測位を行う無線端末が実行する方法であって、
前記測位信号を受信する受信段階と、
前記測位信号に含まれる、所定の場所を表す識別情報を取得する取得段階と、
前記取得段階において取得された前記識別情報と関連付けられたアプリケーションを起動する制御段階と、
を有する、方法。
【請求項７】
測位信号を配信する配信装置と、該測位信号を受信して測位を行う無線端末とを有するシステムであって、
所定の場所を表す識別情報を含む前記測位信号を配信する配信部と、
前記識別情報とアプリケーションとを関連付ける情報を記憶する第一記憶部と、
受信された前記測位信号に含まれる前記識別情報を取得する第一取得部と、
前記第一取得部が取得した前記識別情報と関連付けられた前記アプリケーションを起動する制御部と、
を有する、システム。
【発明の詳細な説明】
【技術分野】
【０００１】
本発明は、無線端末、方法及びシステムに関する。
【背景技術】
【０００２】
ＧＰＳ（Global Positioning System）等の測位技術を用いて、ユーザの現在位置に応じたコンテンツを、ユーザの端末等に表示させる技術が知られている。例えば、特許文献１には、ユーザの現在位置情報を取得するとともに、ユーザの移動手段を判別し、適切な店舗情報を配信することができるナビゲーションシステムが開示されている。
【０００３】
また、近年のスマートフォンの普及に伴い、主に広告や優待情報等を提供する目的で、スマートフォン向けのアプリケーションを配信する事業者も増えている。ユーザは、そのようなアプリケーションを通じて、関心のある情報を入手することができる。
【発明の概要】
【発明が解決しようとする課題】
【０００４】
従来の技術では、ユーザがある特定の場所（例えば、店舗）にいる場合であっても、当該場所とは関係のない、近隣の広告が配信される可能性があった。その結果、ユーザは、有益でない情報を提示されることとなり、煩わしさを感じることがあった。また、従来の技術では、ユーザにとって有益な情報を、アプリケーションを通じて適宜提供することができなかった。
【０００５】
本発明は、このような問題に鑑みてなされたものであり、ユーザにとって有益な情報を適宜提供できるようにすることを目的とする。
【課題を解決するための手段】
【０００６】
上述した課題を解決し目的を達成するため、本発明の一実施形態における無線端末は、
測位信号を受信して測位を行う無線端末であって、
所定の場所を表す識別情報とアプリケーションとを関連付ける情報を記憶する第一記憶部と、
前記測位信号に含まれる前記識別情報を取得する第一取得部と、
前記第一取得部が取得した前記識別情報と関連付けられた前記アプリケーションを起動する制御部と、
を有する。
【発明の効果】
【０００７】
本発明によれば、ユーザにとって有益な情報を適宜提供できるようになる。
【図面の簡単な説明】
【０００８】
【図１】本発明の一実施形態における店舗情報提供システムの概略図。
【図２】店舗情報提供システムを構成する無線ネットワークの概略図。
【図３】本発明の一実施形態における管理装置のハードウェア構成図。
【図４】本発明の一実施形態における無線端末のハードウェア構成図。
【図５】本発明の一実施形態における配信装置のハードウェア構成図。
【図６】本発明の一実施形態におけるシステムの機能ブロック図。
【図７】位置情報を記憶するテーブルの例を表す図。
【図８】配信される位置情報の例を表す図。
【図９】店舗情報を記憶するテーブルの例を表す図。
【図１０】起動履歴情報を記憶するテーブルの例を表す図。
【図１１】測位信号のフレームの構成例を表す図。
【図１２】位置情報取得処理を表すシーケンス図。
【図１３】アプリケーション起動処理を表すフローチャート。
【図１４】アプリケーション起動処理を表すフローチャート。
【図１５】アプリケーション起動処理を表すフローチャート。
【図１６】店舗データ出力処理を表すフローチャート。
【図１７】アプリケーション起動処理を表すシーケンス図。
【発明を実施するための形態】
【０００９】
以下、本発明の実施形態を図面に基づいて説明する。
【００１０】
１．システムの概要
２．ハードウェア構成
２．１  管理装置
２．２  無線端末
２．３  配信装置
３．機能
３．１  配信装置
３．２  無線端末
３．３  管理装置
４．動作例
４．１  位置情報取得処理
４．２  アプリケーション起動処理／データ出力処理
【００１１】
（１．システムの概要）
図１は、本発明の一実施形態における情報提供システム１の概略図である。図１には、情報提供システム１の適用対象の一例である、併設された二つの店舗Ａ、Ｂ（場所の一例）が描かれている。各店舗内には、例えば屋内向けの測位技術であるＩＭＥＳ（Indoor Messaging System）規格に従って、測位信号を送信する、配信装置３００が設置されている。配信装置３００は、予め設定された、緯度、経度、フロア、棟番号等の位置情報と、店舗の識別情報である店舗ＩＤとを、測位信号に含めて配信する。配信装置３００は、例えば、天井に設置された照明器具に内蔵されて提供される。配信装置３００は、図１において破線で示される範囲に、測位信号を配信する。
【００１２】
店舗を訪れるユーザは、無線端末２００を所持している。無線端末２００は、例えばスマートフォンのような情報処理端末であり、上述した測位信号を受信することができる。無線端末２００は、予め、店舗ＩＤと、その店舗ＩＤに対応する、店舗固有（又は店舗の属するブランド固有）のアプリケーションを関連付けるテーブルを保持している。無線端末２００は、配信装置３００から配信される店舗ＩＤを取得すると、対応するアプリケーションを起動し、ユーザに対して、ユーザの属する店舗の広告情報等を提供することができる。これにより、ユーザは、例えば隣接する他の店舗の広告情報等を取得することがなくなり、表示された不要な広告情報を逐一閉じるといった操作が不要となる。
【００１３】
なお、図１には、無線端末２００と配信装置３００の他に、ゲートウェイ４００と、管理装置１００とが示されている。ゲートウェイ４００は、例えば、ＺｉｇＢｅｅ（登録商標）又はＢｌｕｅｔｏｏｔｈ（登録商標）等によって、無線ネットワークを構築する。配信装置３００と無線端末２００は、この無線ネットワークに参加することができる。無線端末２００は、無線ネットワークを通じて、配信装置３００から測位信号により取得した位置情報を、管理装置１００宛に送信する。管理装置１００は、ゲートウェイ４００の接続された、例えばＬＡＮのようなネットワークに接続されており、無線端末２００から送信された位置情報を管理する。
【００１４】
図２は、図１において無線ネットワークを形成する、ゲートウェイ４００と、配信装置３００と、無線端末２００とを抜き出して示したものである。例えば、無線ネットワークがＺｉｇＢｅｅによって構成される場合には，ゲートウェイ４００は、無線ネットワークを起動して管理するＺｉｇＢｅｅコーディネータとして機能してもよい。また、配信装置３００は、中継ノードとして機能するＺｉｇＢｅｅルータとして機能し、無線端末２００は、データを送信得るＺｉｇＢｅｅエンドデバイスとして機能してもよい。
【００１５】
（２．ハードウェア構成）
次に、図３−図５を用いて、本発明の一実施形態における管理装置１００と、無線端末２００と、配信装置３００のハードウェア構成を説明する。
【００１６】
（２．１  管理装置）
図３は、本発明の一実施形態における管理装置１００のハードウェア構成例を表す。管理装置１００は、ＣＰＵ１１と、ＲＡＭ１２と、ＲＯＭ１３と、ＨＤＤ１４と、ＮＩＣ（Network Interface Card）１５と、キーボード１６と、マウス１７と、ディスプレイ１８とを有する。
【００１７】
ＣＰＵ１１は、管理装置１００の動作制御を行うプログラムを実行する。ＲＡＭ１２は、ＣＰＵ１１のワークエリアを構成する。ＲＯＭ１３は、管理装置１００のシステムプログラム等を記憶する。ＨＤＤ１４は、管理装置１００で実行されるＯＳ、アプリケーション及びユーザデータ等に加えて、無線端末２００から受信した位置情報等を記憶する。ＮＩＣ１５は、ＬＡＮに接続するためのＮＩＣである。キーボード１６及びマウス１７は、管理装置１００の管理者等から操作入力を受け付ける入力装置である。ディスプレイ１８は、管理装置１００の管理者等に対して情報を提示する装置である。バス１９は、上記装置を電気的に接続する。
【００１８】
上記構成により、本発明の一実施形態における管理装置１００は、無線端末の位置情報を管理することができる。
【００１９】
（２．２  無線端末）
図４は、本発明の一実施形態における無線端末２００のハードウェア構成例を表す。無線端末２００は、ＣＰＵ２１と、ＲＡＭ２２と、ＲＯＭ２３と、無線通信装置２４と、測位信号受信装置２５と、タッチパネル２６と、電池２７とを有する。
【００２０】
ＣＰＵ２１は、無線端末２００の動作制御を行うプログラムを実行する。ＲＡＭ２２は、ＣＰＵ２１のワークエリアを構成する。ＲＯＭ２３は、無線端末２００のシステムプログラムや、店舗から提供されたアプリケーションや、無線端末２００の識別情報や、店舗ＩＤと店舗のアプリケーションとを関連付ける店舗情報等を記憶する。無線通信装置２４は、例えば、ＺｉｇＢｅｅ（登録商標）又はＢｌｕｅｔｏｏｔｈ（登録商標）等により、配信装置３００又はゲートウェイ４００と通信するための装置である。なお、任意の種類の無線通信装置２４が、複数設けられてもよい。測位信号受信装置２５は、例えばＧＰＳ又はＩＭＥＳ規格に従って構成される測位信号を受信し、位置情報を取得する装置である。タッチパネル２６は、液晶ディプレイと、タッチパッドとを組み合わせた電子部品であり、ユーザの指による入力を受け付ける装置である。電池２７は、無線端末２００を駆動するための電力を供給する。バス２８は、電池２７を除く他の装置又は回路を電気的に接続する。
【００２１】
上記構成により、本発明の一実施形態における無線端末２００は、配信装置３００から配信された測位信号を受信することができる。また、無線端末２００は、測位信号に含まれる店舗ＩＤを取得し、店舗ＩＤと関連付けられたアプリケーションを起動することができる。
【００２２】
（２．３  配信装置）
図５は、本発明の一実施形態における配信装置３００のハードウェア構成例を表す。配信装置３００は、ＣＰＵ３１と、ＲＡＭ３２と、ＲＯＭ３３と、無線通信装置３４と、測位信号送信装置３５を有する。
【００２３】
ＣＰＵ３１は、配信装置３００の動作制御を行うプログラムを実行する。ＲＡＭ３２は、ＣＰＵ３１のワークエリア等を構成する。ＲＯＭ３３は、ＣＰＵ３１が実行するプログラム及びプログラムの実行に必要なデータや、配信装置３００が設置された位置を表す位置情報や、配信装置３００が設置された店舗の店舗ＩＤ等を記憶する。無線通信装置３４は、例えば、ＺｉｇＢｅｅ（登録商標）又はＢｌｕｅｔｏｏｔｈ（登録商標）等により、無線端末２００及びゲートウェイ４００と通信するための装置である。測位信号送信装置３５は、例えばＧＰＳ又はＩＭＥＳ規格に従って構成される測位信号を送信する装置である。バス３６は、上記装置を電気的に接続する。
【００２４】
上記構成により、本発明の一実施形態における配信装置３００は、無線端末２００に位置情報及び店舗ＩＤを配信できる。また、配信装置３００は、無線端末２００から受信した位置情報を、ゲートウェイ４００を介して、管理装置１００に伝送することができる。
【００２５】
（３．機能）
次に、図６を用いて、本発明の一実施形態における管理装置１００と、無線端末２００と、配信装置３００の機能ブロックの構成を説明する。図６には、これらの装置が備える様々な要素のうち、本実施形態の説明に特に関連する要素が示されている。
【００２６】
（３．１  配信装置）
本発明の一実施形態における配信装置３００は、記憶部３０１と、中継部３０２と、配信部３０３とを有する。
【００２７】
記憶部３０１は、配信装置３００が設置された位置を表す位置情報と、配信装置３００が設置された店舗の店舗ＩＤを記憶する。位置情報は、例えば、フロア、緯度、経度、棟番号の情報を含み、店舗ＩＤは、例えば、店舗ごとに固有に付された任意の長さの識別子である。図８は、記憶部３０１が記憶する位置情報の例を表す。
【００２８】
中継部３０２は、無線端末２００から受信した情報を、他の配信装置３００又はゲートウェイ４００に中継する。
【００２９】
配信部３０３は、記憶部３０１に記憶された位置情報及び店舗ＩＤを含む測位信号を、所定の範囲に配信する。配信部３０３は、例えば、ＩＭＥＳ規格で定められたフレーム形式に従って、位置情報及び店舗ＩＤを含む測位信号を構成する。図１１は、ＩＭＥＳ規格によって定められたフレームの構成を表す。ここでは、店舗ＩＤは、予約領域として定められた、合計４ビットのフィールドを用いて格納される。なお、図１１は、店舗ＩＤを格納するフィールドの一例であり、配信部３０３は、任意の長さの任意のフィールドを用いて、店舗ＩＤを配信することができる。
【００３０】
（３．２  無線端末）
本発明の一実施形態における無線端末２００は、店舗情報記憶部２０１と、識別情報記憶部２０２と、位置情報記憶部２０３と、起動履歴情報記憶部２０４と、位置情報取得部２０５と、送信部２０６と、アプリ制御部２０７と、店舗情報取得部２０８と、出力部２０９と、入力受付部２１０とを有する。
【００３１】
店舗情報記憶部２０１は、店舗ＩＤとアプリケーション等を関連付ける店舗情報を記憶する。店舗情報は、例えば、図９に示されるように、以下の項目を含む。
−店舗ＩＤ          ：店舗ごとに固有に付された任意の長さの識別子
配信装置が配信する店舗ＩＤと対応する
−アプリケーション名：店舗ＩＤと関連付けられるアプリケーションの名称
−データ名          ：店舗ＩＤと関連付けられる広告等のデータの名称
アプリケーションとは別に広告を表示する際に利用される
−有効／無効        ：ユーザによる当該関連付けの有効／無効の設定
有効である場合にのみアプリケーションが起動する
【００３２】
識別情報記憶部２０２は、当該無線端末２００の識別情報を記憶する。識別情報は、例えば、無線通信装置２４の有するＭＡＣアドレスである。
【００３３】
位置情報記憶部２０３は、配信装置３００から配信された位置情報及び店舗ＩＤを記憶する。
【００３４】
起動履歴情報記憶部２０４は、アプリケーションの起動履歴を示す起動履歴情報を記憶する。起動履歴情報は、例えば、図１０に示されるように、以下の項目を含む。
−アプリケーション名：起動されたアプリケーションの名称
−起動日時          ：アプリケーションが起動された日時
【００３５】
位置情報取得部２０５は、配信装置３００から配信された測位信号を受信し、位置情報及び店舗ＩＤを取得する。また、位置情報取得部２０５は、例えばＧＰＳ衛星から送信された測位信号を受信し、位置情報を算出することもできる。位置情報取得部２０５は、取得した位置情報又は店舗ＩＤを、位置情報記憶部２０３に記憶する。なお、位置情報取得部２０５は、取得した測位信号から店舗ＩＤが取得された場合（すなわち、配信装置から配信された測位信号を受信した場合）には、その旨をアプリ制御部２０７に通知する。
【００３６】
送信部２０６は、識別情報記憶部２０２から識別情報を読み込み、位置情報記憶部２０３から位置情報を読み込む。そして、送信部２０６は、これらの情報を、配信装置３００を介して、管理装置１００に送信する。
【００３７】
アプリ制御部２０７は、位置情報取得部２０５から、店舗ＩＤが取得された旨の通知を受け取ると、位置情報記憶部２０３に記憶された店舗ＩＤを読み出す。次に、アプリ制御部２０７は、店舗情報記憶部２０１に記憶された店舗情報を読み込み、読み出した店舗ＩＤをキーとして探索し、関連付けられた「アプリケーション名」及び「有効／無効」の設定を特定する。そして、アプリ制御部２０７は、「有効／無効」の設定が「有効」である場合に、特定したアプリケーション名に対応するアプリケーションを起動する。さらに、アプリ制御部２０７は、アプリケーションを起動すると、起動したアプリケーションのアプリケーション名と、起動した日時とを、起動履歴情報記憶部２０４に記憶する。
【００３８】
また、アプリ制御部２０７は、読み出した店舗ＩＤをキーとして店舗情報を探索し、データ名を特定してもよい。この場合には、アプリ制御部２０７は、特定のアプリケーションを起動する代わりに、特定したデータ名のデータを出力するよう、出力部２０９に指示する。ここで、データとは、広告等のコンテンツ本体であり、例えばＨＴＭＬ形式で提供される。データは、任意の形式で提供され得る。
【００３９】
また、アプリ制御部２０７は、起動履歴情報記憶部２０４に記憶された起動履歴情報を読み込み、現在時刻から一定時間期間内に、特定したアプリケーションの起動履歴が存在しない場合に、そのアプリケーションを起動してもよい。
【００４０】
また、アプリ制御部２０７は、読み出した店舗ＩＤをキーとして店舗情報を探索し、特定したアプリケーション名のアプリケーションがインストールされていない場合に、店舗情報取得部２０８に、そのアプリケーションを取得させてもよい。そして、アプリ制御部２０７は、インストールされたアプリケーションを起動しても良い。なお、アプリケーションは、例えば、外部のアプリケーション提供サイトから提供される。
【００４１】
また、アプリ制御部２０７は、読み出した店舗ＩＤをキーとして店舗情報を探索し、特定したデータ名の示すデータが当該無線端末２００に存在しない場合に、店舗情報取得部２０８に、そのデータを取得させてもよい。そして、アプリ制御部２０７は、取得されたデータを出力するよう、出力部２０９に指示しても良い。
【００４２】
店舗情報取得部２０８は、アプリ制御部２０７からの指示に応じて、アプリケーション又は出力データを取得する。店舗情報取得部２０８は、例えば、アプリケーション名によって特定されるアプリケーションを、外部のアプリケーション提供サーバから取得してもよい。また、店舗情報取得部２０８は、例えば、データ名によって特定されるデータを、外部のサーバから取得してもよい。
【００４３】
出力部２０９は、アプリ制御部２０７からの指示に応じて、出力データを、無線端末２００のディスプレイに出力する。出力部２０９は、例えば、アプリ制御部２０７から指示されたＨＴＭＬ形式の出力データを、ブラウザ又はアプリケーション上に出力することができる。出力部２０９は、任意の形式の出力データを出力することができる。
【００４４】
入力受付部２１０は、ユーザからのアプリケーションの有効／無効の設定の入力を受け付ける。入力受付部２１０は、特定のアプリケーションを「有効」又は「無効」にする旨の入力を受け付けると、その内容を、店舗情報に書き込む。
【００４５】
（３．３  管理装置）
本発明の一実施形態における管理装置１００は、位置情報記憶部１０１と、受信部１０２とを有する。
【００４６】
位置情報記憶部１０１は、無線端末２００から受信した位置情報を記憶する。図７は、位置情報を記憶するテーブルの例を表している。図７に示されるテーブルは、以下の項目を含む。
−識別情報                  ：無線端末２００を一意に識別する識別情報
（例えば、無線端末のＭＡＣアドレス）
−緯度、経度、フロア、棟番号：無線端末２００の位置を特定するための位置情報
−受信日時                  ：位置情報を受信した日時を表す情報
【００４７】
受信部１０２は、配信装置３００（及びゲートウェイ４００）を介して、無線端末２００から送信された、識別情報及び位置情報を受信する。受信された位置情報は、識別情報とともに、位置情報記憶部１０１に記憶される。
【００４８】
以上の機能により、本実施形態における情報提供システム１は、ユーザが店舗内又は店舗の近くにいる場合に、その店舗の固有の店舗情報を提供することができる。
【００４９】
（４．動作例）
次に、図１２−図１７を用いて、本発明の一実施形態における情報提供システム１の動作例を説明する。以下では、情報提供システム１における無線端末の「位置情報取得処理」と、「アプリケーション起動処理／データ出力処理」とに分けて説明する。
【００５０】
（４．１  位置情報取得処理）
まず、図１２を用いて、本実施形態における管理装置１００が、無線ネットワークを介して、無線端末２００の位置情報を取得する処理のシーケンスを表す。ここで、配信装置３００が配信する位置情報が、図８に例示されるように、緯度「35.46100」、経度「139.38090」、フロア「1」、棟番号「2」であり、配信装置３００が配信する店舗ＩＤが「1」であるものとする。また、無線端末２００の識別情報は、「012345672001」である。
【００５１】
まず、配信装置３００の配信部３０３は、記憶部３０１に格納された位置情報（緯度「35.46100」、経度「139.38090」、フロア「1」、棟番号「2」）と、店舗ＩＤ「1」とを読み込む（ステップＳ１０１）。次に、配信部３０３は、ステップＳ１０１で読み込んだ位置情報及び店舗ＩＤを含む測位信号を、所定の範囲内の無線端末に配信する（ステップＳ１０２）。
【００５２】
次に、測位信号の到達範囲内にある無線端末２００の位置情報取得部２０５は、受信した測位信号から位置情報及び店舗ＩＤを取得し、その位置情報及び店舗ＩＤを、位置情報記憶部２０３に記憶する（ステップＳ１０３）。
【００５３】
次に、送信部２０６は、識別情報記憶部２０２に記憶された識別情報「012345672001」を読み込む（ステップＳ１０４）。また、送信部２０６は、位置情報記憶部２０３に記憶された、位置情報（緯度「35.46100」、経度「139.38090」、フロア「1」、棟番号「2」）を読み込む（ステップＳ１０５）。そして、送信部２０６は、読み込んだ識別情報及び位置情報を、配信装置３００に送信する（ステップＳ１０６）。
【００５４】
配信装置３００の中継部３０２は、無線端末２００から送信された識別情報及び位置情報を受信し、これらの情報を、ゲートウェイを介して、管理装置１００に送信する（ステップＳ１０７）。
【００５５】
管理装置１００の受信部１０２は、配信装置３００を介して、無線端末２００から送信された識別情報及び位置情報を受信し、これらを位置情報記憶部１０１に記憶する（ステップＳ１０８、図７参照）。
【００５６】
以上の処理により、本実施形態における管理装置１００は、無線端末２００の現在位置を表す位置情報を把握することができる。
【００５７】
（４．２  アプリケーション起動処理／データ出力処理）
次に、図１３を用いて、本発明の一実施形態における無線端末２００のアプリケーション起動処理を説明する。図１３の例では、無線端末２００は、配信装置３００から店舗ＩＤを取得すると、その店舗ＩＤと関連付けられたアプリケーションを起動する。
【００５８】
まず、位置情報取得部２０５は、配信装置３００の配信部３０３から配信された測位信号を受信する（ステップＳ２０１）。次に、位置情報取得部２０５は、受信した測位信号に、店舗ＩＤが含まれるかどうかを判断する（ステップＳ２０２）。そして、測位信号に店舗ＩＤが含まれる場合には（ステップＳ２０２のＹＥＳ）、アプリ制御部２０７は、店舗情報記憶部２０１に記憶された店舗情報を読み込む（ステップＳ２０３）。一方、測位信号に店舗ＩＤが含まれない場合には（ステップＳ２０２のＮＯ）、処理を終了する。
【００５９】
ステップＳ２０３の後に、アプリ制御部２０７は、店舗情報内に、測位信号に含まれていた店舗ＩＤのエントリがあるか判断する（ステップＳ２０４）。そして、エントリがある場合に（ステップＳ２０４のＹＥＳ）、アプリ制御部２０７は、店舗ＩＤと関連付けられたアプリケーション名を特定する（ステップＳ２０５）。一方、エントリがない場合には（ステップＳ２０４のＮＯ）、処理を終了する。
【００６０】
ステップＳ２０５の後に，アプリ制御部２０７は、特定されたアプリケーションを起動する（ステップＳ２０６）。そして、アプリ制御部２０７は、起動したアプリケーションのアプリケーション名と、起動した日時を、起動履歴情報記憶部２０４に記憶する（ステップＳ２０７）。
【００６１】
以上の処理によって、本実施形態における無線端末２００は、ユーザが店舗内又は店舗の近くにいる場合に、その店舗と関連付けられたアプリケーションを起動し、ユーザに対して情報を提供することができる。
【００６２】
次に、図１４を用いて、本発明の一実施形態における無線端末２００のアプリケーション起動処理を説明する。図１４の例では、無線端末２００は、配信装置３００から取得した店舗ＩＤと関連付けられたアプリケーションが、一定時間内に起動されていない場合に、そのアプリケーションを起動する。
【００６３】
まず、測位信号を受信し、測位信号に含まれる店舗ＩＤに対応するエントリが存在するかどうかを判断した後に、アプリケーション名を特定するステップＳ３０１−Ｓ３０５は、図１３のステップＳ２０１−Ｓ２０５と同様である。
【００６４】
アプリ制御部２０７は、アプリケーション名を特定した後、起動履歴情報記憶部２０４に記憶された起動履歴情報を読み込む（ステップＳ３０６）。次に、アプリ制御部２０７は、現在時刻から一定時間内に、特定したアプリケーションの起動履歴が記録されているかどうかを判断する（ステップＳ３０７）。そして、起動履歴が記録されていない場合に（ステップＳ３０７のＮＯ）、アプリ制御部２０７は、アプリケーションを起動する（ステップＳ３０８）。一方、起動履歴が記録されている場合には（ステップＳ３０７のＹＥＳ）、アプリ制御部２０７は、アプリケーションを起動せずに、処理を終了する。
【００６５】
ステップＳ３０８の後に，アプリ制御部２０７は、起動したアプリケーションのアプリケーション名と、起動した日時を、起動履歴情報記憶部２０４に記憶する（ステップＳ３０９）。
【００６６】
以上の処理によって、本実施形態における無線端末２００は、ユーザが店舗と関連付けられたアプリケーションを一定時間内に起動していない場合に、そのアプリケーションを起動することができる。これにより、無線端末２００は、アプリケーションを起動して既に情報を取得済みのユーザに対して、再度アプリケーションを起動しないようにすることができる。
【００６７】
次に、図１５を用いて、本発明の一実施形態における無線端末２００のアプリケーション起動処理を説明する。図１５の例では、無線端末２００は、配信装置３００から取得した店舗ＩＤと関連付けられたアプリケーションが、当該無線端末２００にインストールされていない場合、そのアプリケーションを取得した後に、そのアプリケーションを起動する。
【００６８】
まず、測位信号を受信し、測位信号に含まれる店舗ＩＤに対応するエントリが存在するかどうかを判断した後に、アプリケーション名を特定するステップＳ４０１−Ｓ４０５は、図１３のステップＳ２０１−Ｓ２０５と同様である。
【００６９】
アプリ制御部２０７は、アプリケーション名を特定した後、そのアプリケーションがインストール済みであるかどうかを判断する（ステップＳ４０６）。そして、アプリケーションがインストール済みである場合に（ステップＳ４０６のＹＥＳ）、アプリ制御部２０７は、起動履歴情報を読み込む（ステップＳ４０７）。その後の、起動履歴に基づくアプリケーションの起動処理であるステップＳ４０８−Ｓ４１０は、図１４のステップＳ３０７−Ｓ３０９と同様である。
【００７０】
一方、ステップＳ４０６において、アプリ制御部２０７は、アプリケーションがインストール済みでないと判断した場合には（ステップＳ４０６のＮＯ）、店舗情報取得部２０８に、そのアプリケーションを取得させる（ステップＳ４１１）。そして、アプリ制御部２０７は、アプリケーションが取得できたかどうかを判断する（ステップＳ４１２）。アプリケーションが取得できた場合には（ステップＳ４１２のＹＥＳ）、アプリ制御部２０７は、アプリケーションを起動し（ステップＳ４０９）、アプリケーションの起動履歴を記録する（ステップＳ４１０）。一方、アプリケーションが取得できなかった場合には（ステップＳ４１２のＮＯ）、処理を終了する。
【００７１】
以上の処理によって、本実施形態における無線端末２００は、店舗ＩＤによって特定したアプリケーションがインストールされていない場合に、そのアプリケーションを取得した後に、そのアプリケーションを起動することができる。
【００７２】
次に、図１６を用いて、本発明の一実施形態における無線端末２００のデータ出力処理を説明する。図１６の例では、図１３−図１５を用いて説明した例と異なり、無線端末２００は、アプリケーションを起動する代わりに、所定のデータを出力する。
【００７３】
まず、測位信号を受信し、測位信号に含まれる店舗ＩＤに対応するエントリが存在するかどうかを判断するステップＳ５０１−Ｓ５０４は、図１３のステップＳ２０１−Ｓ２０４と同様である。
【００７４】
ステップＳ５０４において、店舗情報内に、測位信号に含まれていた店舗ＩＤのエントリがあると判断された場合に（ステップＳ２０４のＹＥＳ）、アプリ制御部２０７は、店舗ＩＤと関連付けられたデータ名を特定する（ステップＳ５０５）。次に、アプリ制御部２０７は、データ名によって特定されるデータが取得済みであるかどうかを判断する（ステップＳ５０６）。そして、データが取得済みである場合に（ステップＳ５０６のＹＥＳ）、アプリ制御部２０７は、そのデータを出力部２０９に出力させる（ステップＳ５０７）。
【００７５】
一方、ステップＳ５０６において、アプリ制御部２０７は、データが取得済みでないと判断した場合には（ステップＳ５０６のＮＯ）、店舗情報取得部２０８に、データ名で特定されるデータを取得させる（ステップＳ５０８）。そして、アプリ制御部２０７は、データが取得できたかどうかを判断する（ステップＳ５０９）。データが取得できた場合には（ステップＳ５０９のＹＥＳ）、アプリ制御部２０７は、出力部２０９にデータを出力させる（ステップＳ５０７）。一方、データが取得できなかった場合には（ステップＳ５０９のＮＯ）、処理を終了する。
【００７６】
以上の処理によって、本実施形態における無線端末２００は、アプリケーションを起動する代わりに、店舗ＩＤと関連付けられたデータをブラウザ等に出力することができる。
【００７７】
次に、図１７を用いて、本発明の一実施形態における無線端末２００が、配信装置から取得した店舗ＩＤを用いて、アプリケーションを起動する動作の具体例を説明する。ここで、無線端末２００を所持するユーザは、図１に例示されるように、店舗Ａに滞在しているものとする。無線端末２００は、配信装置３００から、図１２で説明した例と同様の位置情報（緯度「35.46100」、経度「139.38090」、フロア「1」、棟番号「2」）及び店舗ＩＤ（「1」）を受信する。
【００７８】
まず、無線端末２００の位置情報取得部２０５は、配信装置３００から配信された測位信号より、位置情報（緯度「35.46100」、経度「139.38090」、フロア「1」、棟番号「2」）と店舗ＩＤ（「1」）を取得する（ステップＳ６０１）。次に、位置情報取得部２０５は、取得した位置情報と店舗ＩＤを、位置情報記憶部２０３に記憶する（ステップＳ６０２）。
【００７９】
無線端末２００のアプリ制御部２０７は、位置情報取得部２０５からの通知に応じて、位置情報記憶部２０３に記憶された店舗ＩＤ「1」を読み込む（ステップＳ６０３）。また、アプリ制御部２０７は、店舗情報記憶部２０１に記憶された店舗情報（図９参照）を読み込む（ステップＳ６０４）。そして、アプリ制御部２０７は、ステップＳ６０３で読み込んだ店舗ＩＤ「1」をキーとして店舗情報を探索し、アプリケーション名「店舗Ａ用アプリ」を特定する（ステップＳ６０５）。
【００８０】
次に、無線端末２００のアプリ制御部２０７は、起動履歴情報記憶部２０４に記憶された起動履歴情報を読み込む（ステップＳ６０６）。次に、アプリ制御部２０７は、ステップＳ６０５で特定したアプリケーション「店舗Ａ用アプリ」の、現在時刻「2013/7/1 16:01:00」から所定の時間内（例えば、３０分以内）の起動履歴がないことを確認し、「店舗Ａ用アプリ」を起動する（ステップＳ６０７）。そして、アプリ制御部２０７は、起動したアプリケーションのアプリケーション名「店舗Ａ用アプリ」と、起動日時である現在時刻「2013/7/1 16:01:00」を、起動履歴情報に記憶する（ステップＳ６０８、図１０）。
【００８１】
その後、ユーザが、５分間、継続して店舗Ａ内に留まったものとし、無線端末２００が、再度、配信装置３００から測位信号を受信する。すなわち、無線端末２００の位置情報取得部２０５は、配信装置３００から配信された測位信号より、再び、位置情報（緯度「35.46100」、経度「139.38090」、フロア「1」、棟番号「2」）と店舗ＩＤ（「1」）を取得する（ステップＳ６０９）。その後、記憶された店舗ＩＤを用いてアプリケーション名を特定するステップＳ６１０−Ｓ６１３は、ステップＳ６０２−Ｓ６０５と同様である。
【００８２】
無線端末２００のアプリ制御部２０７は、起動履歴情報記憶部２０４に記憶された起動履歴情報（図１０）を再び読み込む（ステップＳ６１４）。ここで、アプリ制御部２０７は、ステップＳ６１３で特定したアプリケーション「店舗Ａ用アプリ」の、現在時刻「2013/7/1 16:06:00」から３０分以内の起動日時の起動履歴「2013/7/1 16:01:00」があることを確認する。従って、アプリ制御部２０７は、アプリケーション「店舗Ａ用アプリ」を起動しない。
【００８３】
以上の処理により、本実施形態の無線端末２００は、ユーザの属する店舗の提供するアプリケーションを自動的に起動し、有益な情報を適宜提供できる。また、既にユーザがアプリケーションを起動して情報を取得済みである場合には、アプリケーションの起動を差し控える。これにより、ユーザによる、不要な情報への対処の手間を軽減することができる。
【符号の説明】
【００８４】
１００  管理装置
１０１  位置情報記憶部
１０２  受信部
２００  無線端末
２０１  店舗情報記憶部
２０２  識別情報記憶部
２０３  位置情報記憶部
２０４  起動履歴情報記憶部
２０５  位置情報取得部
２０６  送信部
２０７  アプリ制御部
２０８  店舗情報取得部
２０９  出力部
２１０  入力受付部
３００  配信装置
３０１  記憶部
３０２  中継部
３０３  配信部
【先行技術文献】
【特許文献】
【００８５】
【特許文献１】特開２０１２−０７８３０５号公報
【図１】
2015041904.tif 000003
【図２】
2015041904.tif 000004
【図３】
2015041904.tif 000005
【図４】
2015041904.tif 000006
【図５】
2015041904.tif 000007
【図６】
2015041904.tif 000008
【図７】
2015041904.tif 000009
【図８】
2015041904.tif 000010
【図９】
2015041904.tif 000011
【図１０】
2015041904.tif 000012
【図１１】
2015041904.tif 000013
【図１２】
2015041904.tif 000014
【図１３】
2015041904.tif 000015
【図１４】
2015041904.tif 000016
【図１５】
2015041904.tif 000017
【図１６】
2015041904.tif 000018
【図１７】
2015041904.tif 000019